(57)【特許請求の範囲】
【請求項１】
シートを収容すると共に、装置本体から引き出し可能な給紙トレイと、
前記給紙トレイの引き出し方向と直交する方向に沿って、前記シートを送り出す給紙ロールと、
前記給紙ロールに対向配置され、前記シートの重送を防止する重送防止ロールと、
前記給紙ロールを支持する上部フレームと前記重送防止ロールを支持する下部フレームとに分割され、前記給紙トレイの引き出し方向にある第１端部に前記シートが通過可能な隙間が形成された支持フレームと、
前記給紙トレイに設けられ、前記給紙トレイが閉じられた際に、前記支持フレームの第１端部を位置決めする位置決め手段と、
を備えると共に、前記下部フレームは、前記第１端部が下方へ移動するように、前記第１端部の反対側にある第２端部が回転可能に支持されていることを特徴とする給紙装置。
【請求項２】
前記上部フレームの第１端部及び前記下部フレームの第１端部の少なくとも一方は、前記位置決め手段に位置決めされるまで、自由状態であることを特徴とする請求項１に記載の給紙装置。
【請求項３】
シートを収容すると共に、装置本体から引き出し可能な給紙トレイと、
前記給紙トレイの引き出し方向と直交する方向に沿って、前記シートを送り出す給紙ロールと、
前記給紙ロールに対向配置され、前記シートの重送を防止する重送防止ロールと、
前記給紙ロールを支持する上部フレームと前記重送防止ロールを支持する下部フレームとに分割され、前記給紙トレイの引き出し方向にある第１端部に前記シートが通過可能な隙間が形成された支持フレームと、
前記給紙トレイに設けられ、前記給紙トレイが閉じられた際に、前記支持フレームの第１端部を位置決めする位置決め手段と、
を備えると共に、前記給紙ロールの下流側に設けられ、前記給紙トレイと一体に引き出される一対の搬送ロールを備えたことを特徴とする給紙装置。
【請求項４】
請求項１〜３のいずれか１項に記載の給紙装置を備えたことを特徴とする画像形成装置。
【発明の詳細な説明】
【技術分野】
【０００１】
本発明は、シートを給送する給紙装置及びその給紙装置を備えた画像形成装置に関する。
【背景技術】
【０００２】
シートを給送する給紙装置としては、給紙トレイに収容されたシートを取り出すピックアップロールと、そのピックアップロールが取り出した用紙Ｐをさらに下流へ送り出すフィードロールと、そのフィードロールに対向配置されシートの重送を防止するリタードロールと、を備えた給紙装置が知られている。
【０００３】
このような給紙装置において、フィードロールとリタードロールとの間にシートが詰まってジャムが生じた場合、このシートを除去する必要がある。フィードロール及びリタードロールのように、一対の搬送ロールの間にシートが詰まった場合に、そのシートを除去する構成が、特許文献１に開示されている。
【０００４】
特許文献１の構成では、一方の搬送ロールの回転軸にノブを設け、手動でノブを回すことにより、搬送ロールを回転させて、一対の搬送ロールの間に詰まったシートを除去可能な位置まで搬送する構成となっている。
【特許文献１】特開２００１−１９２１６号公報
【発明の開示】
【発明が解決しようとする課題】
【０００５】
しかしながら、特許文献１の構成では、ノブの内側にインナーカバーも設けなければならず、ノブとインナーカバーを設ける分、大きなスペースが必要となり、装置が大型化する。また、部品点数も増え、製造コストが高くなる。さらに、ノブを回す必要があるので、一対の搬送ロールの間に詰まったシートを除去するのが面倒であった。
【０００６】
本発明は、上記事実を考慮し、対向するロールに挟まったシートの除去がしやすい給紙装置及びその給紙装置を備えた画像形成装置を提供することを目的とする。
【課題を解決するための手段】
【０００７】
本発明の請求項１に係る給紙装置は、シートを収容すると共に、装置本体から引き出し可能な給紙トレイと、前記給紙トレイの引き出し方向と直交する方向に沿って、前記シートを送り出す給紙ロールと、前記給紙ロールに対向配置され、前記シートの重送を防止する重送防止ロールと、前記給紙ロールを支持する上部フレームと前記重送防止ロールを支持する下部フレームとに分割され、前記給紙トレイの引き出し方向にある第１端部に前記シートが通過可能な隙間が形成された支持フレームと、前記給紙トレイに設けられ、前記給紙トレイが閉じられた際に、前記支持フレームの第１端部を位置決めする位置決め手段と、を備えると共に、前記下部フレームは、前記第１端部が下方へ移動するように、前記第１端部の反対側にある第２端部が回転可能に支持されていることを特徴とする。
【０００８】
この構成によれば、給紙トレイを装置本体から引き出してシートを収容できる。給紙トレイに収容されるシートは、給紙ロールによって、給紙トレイの引き出し方向と直交する方向に沿って送り出される。送り出されるシートの重送は、重送防止ロールによって、防止される。
【０００９】
ここで、請求項１の構成では、支持フレームが、給紙ロールを支持する上部フレームと、重送防止ロールを支持する下部フレームとに分割されており、給紙トレイが引き出される方向にある第１端部にシートが通過可能な隙間が形成されている。
【００１０】
このため、給紙ロールと重送防止ロールとの間にシートが挟まった場合には、給紙トレイを引き出してから、その挟まったシートを、給紙トレイが引き出される方向にある第１端部側へ引っ張り、第１端部に形成された隙間を通して、シートを除去することができる。したがって、対向するロールに挟まったシートの除去がしやすい。
【００１１】
また、支持フレームの第１端部は、給紙トレイが閉じられた際に、給紙トレイに設けられた位置決め手段によって位置決めされるので、シートの給紙が不安定とならない。
【００１２】
本発明の請求項２に係る給紙装置は、請求項１の構成において、前記上部フレームの第１端部及び前記下部フレームの第１端部の少なくとも一方は、前記位置決め手段に位置決めされるまで、自由状態であることを特徴とする。
【００１３】
この構成によれば、上部フレームの第１端部及び下部フレームの第１端部の少なくとも一方は、位置決め手段に位置決めされるまで、自由状態であるので、給紙ロールと重送防止ロールとの間に挟まったシートを第１端部側へ引っ張って、除去しやすい。
【００１５】
請求項１の構成について付言すると、下部フレームは、第１端部が下方へ移動するように、第１端部の反対側にある第２端部が回転可能に支持されているので、上部フレームと下部フレームとの間を大きくでき、給紙ロールと重送防止ロールとの間に挟まったシートを第１端部側へ引っ張って、除去しやすい。
【００１６】
本発明の請求項３に係る給紙装置は、シートを収容すると共に、装置本体から引き出し可能な給紙トレイと、前記給紙トレイの引き出し方向と直交する方向に沿って、前記シートを送り出す給紙ロールと、前記給紙ロールに対向配置され、前記シートの重送を防止する重送防止ロールと、前記給紙ロールを支持する上部フレームと前記重送防止ロールを支持する下部フレームとに分割され、前記給紙トレイの引き出し方向にある第１端部に前記シートが通過可能な隙間が形成された支持フレームと、前記給紙トレイに設けられ、前記給紙トレイが閉じられた際に、前記支持フレームの第１端部を位置決めする位置決め手段と、を備えると共に、前記給紙ロールの下流側に設けられ、前記給紙トレイと一体に引き出される一対の搬送ロールを備えたことを特徴とする。
【００１７】
この構成によれば、給紙ロールの下流側に設けられた一対の搬送ロールは、給紙トレイと一体に引き出される。
【００１８】
このため、給紙ロール及び重送防止ロールの間と、一対の搬送ロールの間とに、同時にシートが挟まった場合は、一対の搬送ロールに挟まった状態でシートが引き出されるが、支持フレームの第１端部に形成された隙間をシートが抜けるので、シートの除去がしやすくなる。
【００１９】
本発明の請求項４に係る画像形成装置は、請求項１〜３のいずれか１項に記載の給紙装置を備えたことを特徴とする。
【発明の効果】
【００２０】
本発明は、上記構成としたので、対向するロールに挟まったシートの除去がしやすくなる。
【発明を実施するための最良の形態】
【００２１】
以下に、本発明の給紙装置に係る実施形態の一例及び本発明の画像形成装置に係る実施形態の一例を図面に基づき説明する。
【００２２】
まず、本実施形態に係る画像形成装置１０の全体構成を図１に基づき説明する。図１に示す本実施形態の画像形成装置１０は、電子写真方式を用いた複写機であり、図１に示すように、画像形成装置１０の上部には、原稿の画像を読み取って画像信号に変換する画像読取装置１３が配置されている。画像読取装置１３の下側（画像形成装置１０の中央部）には、用紙Ｐへ画像を記録する画像記録装置１２が配置され、画像記録装置１２の下側（画像形成装置１０の下部）には、用紙Ｐを画像記録装置１２へ供給する給紙装置１５が配置されている。
【００２３】
画像読取装置１３は、その上部に、原稿トレイ１４Ａに載せられた原稿を画像読取位置に自動で送り込む自動原稿送り装置１４を備えている。自動原稿送り装置１４の下方（画像読取装置１３の下部）には、自動原稿送り装置１４から送り込まれた原稿の画像を読み取って電気的な画像信号に変換する原稿読み取り部１６が設けられている。この原稿読み取り部１６が画像を読み取った後は、自動原稿送り装置１４によって、用紙Ｐが自動で排出されるようになっている。また、原稿読み取り部１６は、変換した画像信号を、後述の露光装置２３へ送るように構成されている。
【００２４】
画像記録装置１２の中央部には、原稿読み取り部１６からの画像信号に基づいて用紙に画像（トナー画像）を形成する画像形成部としての画像記録部１８が設けられている。
【００２５】
画像記録部１８の下方（画像記録装置１２の下部）には、Ａ３サイズ等の大サイズの用紙Ｐが収容される大型の給紙トレイ２４Ａ、２４Ｂが２つ設けられている。この給紙トレイ２４Ａ、２４Ｂの先端部（図１において左端部）には、給紙トレイ２４Ａ、２４Ｂから用紙Ｐを給送する給送ユニット２６Ａ、２６Ｂが設けられている。
【００２６】
この給送ユニット２６Ａ、２６Ｂと画像記録部１８との間には、給送ユニット２６Ａ、２６Ｂによって、給紙トレイ２４Ａ、２４Ｂから給送された用紙Ｐを画像記録部１８へ案内する用紙ガイド２８が設けられている。この用紙ガイド２８は、下側にも延びており、給紙装置１５から給送される用紙Ｐも、画像記録部１８へ案内するように構成されている。この用紙ガイド２８には、用紙ガイド２８に沿って、用紙Ｐを画像記録部１８へ搬送する複数の搬送ロール対３０が設けられている。
【００２７】
画像記録部１８は、所定方向（図１において時計回り方向）へ回転する感光体ドラム１９を備えたプロセスカートリッジ２０を備えている。感光体ドラム１９の周囲には、感光体ドラム１９の回転方向上流側から順に、それぞれ、感光体ドラム１９上を帯電させる帯電ローラ２１と、帯電した感光体ドラム１９を露光して感光体ドラム１９上に潜像を形成する露光装置２３と、感光体ドラム１９上に形成された潜像へトナーを付着させて現像する現像ローラ２５と、が設けられている。なお、この帯電ローラ２１及び現像ローラ２５は、プロセスカートリッジ２０に設けられている。
【００２８】
感光体ドラム１９に対向する横方向には、感光体ドラム１９上に形成されたトナー画像を用紙Ｐへ所定の転写位置で転写する転写装置２７が設けられている。
【００２９】
転写装置２７より用紙搬送方向下流側には、転写されたトナー画像を用紙Ｐへ定着させる定着装置３１、用紙Ｐを排出トレイ３５へ排出する排出ロール対３３が、この順で配置されている。
【００３０】
次に、本実施形態に係る画像形成装置における、画像を形成する画像形成動作について説明する。
【００３１】
本実施形態に係る画像形成装置１０では、画像読取装置１３において、自動原稿送り装置１４から送り込まれた原稿の画像を読み取り、電気的な画像信号に変換する。この画像信号は、露光装置２３へ送られる。
【００３２】
画像記録装置１２においては、感光体ドラム１９の表面が、帯電ローラ２１により一様に帯電する。帯電した感光体ドラム１９の表面は、露光装置２３により露光され、画像読取装置１３が変換した画像信号に応じた静電潜像が感光体ドラム１９の表面に形成される。感光体ドラム１９に形成された静電潜像は、現像ローラ２５によって現像されることにより、感光体ドラム１９上にトナー画像が形成される。
【００３３】
一方、給紙トレイ２４Ａ、２４Ｂ及び給紙装置１５のいずれかから取り出された用紙Ｐは、複数の搬送ロール対３０によって上方へ搬送され、感光体ドラム１９と転写装置２７との間の転写位置に送り込まれる。
【００３４】
転写位置に送り込まれた用紙Ｐは、感光体ドラム１９上に形成されたトナー画像が転写装置２７によって転写される。さらに、定着装置３１へ搬送され、転写されたトナー画像が定着装置３１により定着され、トナー画像が定着された後、用紙Ｐは排出ロール対３３により排出トレイ３５へ排出される。以上のように、一連の画像形成動作が行われる。
【００３５】
ここで、本実施形態に係る給紙装置１５の構成について説明する。
【００３６】
給紙装置１５は、図１、図２及び図３に示すように、装置本体１７を備え、装置本体１７には、使用頻度の高いＡ４サイズ及びＢ５サイズ等の小サイズの用紙Ｐが収容される小型の給紙トレイ２２Ａ、２２Ｂが２つ設けられている。
【００３７】
小型の給紙トレイ２２Ａ、２２Ｂは、それぞれ大量（例えば１５００枚）の用紙Ｐが積み重ねられた状態で収容される。また、各々が横方向で且つ給送方向の上流側と下流側に並列して配置されると共に、上流側（図２において右側）の給紙トレイ２２Ａの方が、下流側（図２において左側）の給紙トレイ２２Ｂよりも少し上方に位置して段違いに配置されている。
【００３８】
給紙トレイ２２Ａ、２２Ｂの内部には、図示しない昇降機構によって上下方向に移動可能とされたボトムプレート３７が設けられており、用紙Ｐはこのボトムプレート３７上に積載されて給紙トレイ２２Ａ、２２Ｂ内に収容される。
【００３９】
また、給紙トレイ２２Ａ、２２Ｂは、装置本体１７に所定の引出方向（図３におけるＨ方向）に沿って、スライド可能に取り付けられており、給紙トレイ２２Ａ、２２Ｂに用紙Ｐを収容する際に、給紙トレイ２２Ａ、２２Ｂを装置本体１７から所定の引出方向へ引き出すことが可能となっている。なお、本実施形態では、図２に示す二点鎖線の部分が引き出されるように構成されている。
【００４０】
給紙トレイ２２Ａ、２２Ｂの先端部には、給紙トレイ２２Ａ、２２Ｂに収容された用紙Ｐを引出方向と直交する給送方向に沿って給送する給送ユニット３９Ａ、３９Ｂが設けられている。なお、上述の給送ユニット２６Ａ、２６Ｂは、給送ユニット３９Ａ、３９Ｂと同一構成とされている。
【００４１】
給送ユニット３９Ａ、３９Ｂは、給紙トレイ２２Ａ、２２Ｂの先端側（図１において左端側）の直上に配置されたピックアップロール３４を備えている。ピックアップロール３４は、用紙Ｐの上面の先端側に接触して回転し、給紙トレイ２２Ａ、２２Ｂから用紙Ｐを取り出すように構成されている。
【００４２】
ピックアップロール３４の給送方向下流側には、給紙ロールとしてのフィードロール３６が配置されている。フィードロール３６の下側には、重送防止ロールとしてのリタードロール３８が、フィードロール３６に対向して配置されている。これにより、フィードロール３６とリタードロール３８との間に、給紙トレイ２２Ａ、２２Ｂ内から取り出された用紙Ｐを挟持するニップ部が形成される。
【００４３】
フィードロール３６は、駆動部（図示省略）によって、給送方向に直交する方向を軸方向として、この軸周りに回転駆動するようになっている。このフィードロール３６は、給紙トレイ２２Ａ、２２Ｂから取り出されニップ部に導入される用紙Ｐの上面（表面）に接触して回転駆動し、給紙トレイ２２Ａ、２２Ｂの引き出し方向と直交する方向に沿って、用紙Ｐをさらに下流へ送り出すように構成されている。すなわち、給紙トレイ２２Ａ、２２Ｂの引き出し方向と給送方向とは、略直角に交差するようになっている。
【００４４】
リタードロール３８は、給送方向に直交する方向を軸方向として、この軸周りに従動回転するようになっている。リタードロール３８の回転軸には、トルクリミッター（図示省略）が取り付けられている。
【００４５】
このため、リタードロール３８の表面に用紙Ｐが接触し、この用紙Ｐとの摩擦によって、リタードロール３８へ回転力が付与されると、リタードロール３８は、所定の回転負荷を生じるブレーキとして機能すると共に、リタードロール３８へ所定力以上の回転力が作用した場合に、リタードロール３８は従動し始める。
【００４６】
このように、リタードロール３８がブレーキとして機能することにより、複数枚の用紙Ｐが重なってニップ部に導入された場合に、フィードロール３６が上側の用紙Ｐ（１枚目の用紙Ｐ）へ搬送力を付与する一方、下側の用紙Ｐ（２枚目以降の用紙Ｐ）へは、リタードロール３８が、搬送抵抗を付与する。すなわち、フィードロール３６とリタードロール３８とで、重なった用紙Ｐを分離して（さばいて）、用紙Ｐを一枚ずつ給送する。
【００４７】
また、給送ユニット３９Ａ、３９Ｂは、図４及び図５に示すように、ピックアップロール３４、フィードロール３６及びリタードロール３８を回転可能に支持する支持フレーム４０を備えている。
【００４８】
支持フレーム４０は、ピックアップロール３４及びフィードロール３６を回転可能に支持する上部フレーム４１と、リタードロール３８を回転可能に支持する下部フレーム４２と、に上下に分割され、給紙トレイ２２Ａが引き出される方向にある第１端部４０Ａに用紙Ｐが通過可能な隙間Ｓが形成されている。
【００４９】
上部フレーム４１及び下部フレーム４２は、ピックアップロール３４、フィードロール３６及びリタードロール３８の軸方向に沿って、長尺状に形成され、上部フレーム４１は、ピックアップロール３４及びフィードロール３６の上面を覆うように設けられている。
【００５０】
また、上部フレーム４１及び下部フレーム４２は、第１端部４０Ａと反対側の第２端部４０Ｂが支持部４３に固定されて支持されている。その一方、第１端部４０Ａは、支持されておらず、上部フレーム４１及び下部フレーム４２は、片持ち状にされている。
【００５１】
また、上部フレーム４１及び下部フレーム４２の第１端部４０Ａ側の端面には、それぞれ、差込孔４６が形成されている。この差込孔４６に差し込まれる位置決め手段としてのピン４８が、給紙トレイ２２Ａの側板に設けられている。このピン４８は、給紙トレイ２２Ａが閉じられた際に、差込孔４６に差し込まれて、上部フレーム４１及び下部フレーム４２を位置決めするように構成されている。これにより、上部フレーム４１及び下部フレーム４２は位置不動となる。
【００５２】
給紙トレイ２２Ａが引き出された際は、上部フレーム４１の第１端部４０Ａは、自由状態となり、上方に撓ませることが可能となっている。また、下部フレーム４２の第１端部４０Ａも、自由状態となり、下方に撓ませることが可能となっている。
【００５３】
また、フィードロール３６の下流側には、給紙トレイ２２Ａから送り出された用紙Ｐを画像記録装置１２へ搬送する搬送ユニット４９が設けられている。
【００５４】
搬送ユニット４９は、給紙トレイ２２Ａから送り出された用紙Ｐを案内する用紙ガイド５０を備えている。この用紙ガイド５０は、給紙トレイ２２Ｂの上方で、横方向に延びており、給紙トレイ２２Ａから送り出された用紙Ｐを横方向へ案内する。また、用紙ガイド５０には、一対の搬送ロール５２が設けられ、給紙トレイ２２Ａから送り出された用紙Ｐを下流側へ搬送するようになっている。この一対の搬送ロール５２と、用紙ガイド５０は、一体的に形成されてユニット化されており、この搬送ユニット４９は、給紙トレイ２２Ａと一体に引き出されるようになっている。
【００５５】
次に、上記の実施形態について作用を説明する。
【００５６】
本実施形態では、フィードロール３６とリタードロール３８との間に用紙Ｐが挟まった場合に、まず、給紙トレイ２２Ａを引き出す。給紙トレイ２２Ａを引き出すと、搬送ユニット４９及び、給紙トレイ２２Ａの側板に設けられたピン４８が、給紙トレイ２２Ａと一体に移動する。これにより、ピン４８のそれぞれが、上部フレーム４１及び下部フレーム４２の第１端部４０Ａにある差込孔４６から抜かれる。また、上部フレーム４１及び下部フレーム４２の第１端部４０Ａに形成された隙間Ｓの側方に位置していたが給紙トレイ２２Ａの側板が離れて、隙間Ｓが開放され、隙間Ｓを用紙Ｐが通過可能となる。
【００５７】
フィードロール３６とリタードロール３８との間に挟まった用紙Ｐを、第１端部４０Ａ側へ引っ張り、隙間Ｓを通して、用紙Ｐを除去することができる。
【００５８】
このとき、上部フレーム４１の第１端部４０Ａは、位置決めされておらず、上方へ撓ませることができ、下部フレーム４２の第１端部４０Ａも位置決めされておらず、下方へ撓ませることができるので、フィードロール３６とリタードロール３８とを離すことができ、また、隙間Ｓも大きくすることができるので、用紙Ｐを除去しやすい。
【００５９】
また、フィードロール３６及びリタードロール３８の間と、一対の搬送ロール５２の間とに、同時に用紙Ｐが挟まった場合は、一対の搬送ロール５２に挟まった状態で用紙Ｐが引き出されるが、支持フレーム４０の第１端部４０Ａに形成された隙間Ｓを用紙Ｐが抜けるので、用紙Ｐの除去がしやすくなる。
【００６０】
用紙Ｐの除去が終了した後は、給紙トレイ２２Ａを閉じる。給紙トレイ２２Ａを閉じると、給紙トレイ２２Ａの側板に設けられたピン４８が、上部フレーム４１及び下部フレーム４２の第１端部４０Ａにある差込孔４６に差し込まれ、上部フレーム４１及び下部フレーム４２が位置決めされる。これにより、上部フレーム４１及び下部フレーム４２は、位置不動とされ、ピックアップロール３４、フィードロール３６及びリタードロール３８の位置が固定されるので、用紙Ｐの給紙が不安定とならない。
【００６１】
なお、本実施形態の支持フレーム４０は、図６（Ａ）及び図６（Ｂ）に示す支持フレーム６０のように構成してもよい。支持フレーム６０では、下部フレーム４２の第１端部４０Ａが下方へ移動するように、第１端部４０Ａの反対側にある第２端部４０Ｂが回転可能に支持されている。また、第１端部４０Ａの下方には、ストッパー６２が設けられており、このストッパー６２は、下方に回転した下部フレーム４２の第１端部４０Ａの下面に当たって、下部フレーム４２の回転量を規制するようになっている。
【００６２】
この構成によれば、上部フレーム４１と下部フレーム４２との間を大きくでき、フィードロール３６とリタードロール３８との間に挟まった用紙Ｐを除去しやすい。また、下部フレーム４２が下方に撓まないので、下部フレーム４２が変形しにくい。
【００６３】
なお、上記実施形態では、用紙Ｐを給送する給紙装置について説明したが、本発明の給紙装置としては、プラスチックフィルム、その他のシート状のものを給送する給紙装置であってもよい。
【００６４】
また、上記実施形態では、上部フレーム４１の第１端部４０Ａが支持されていない構成であったが、上部フレーム４１の第１端部４０Ａを装置本体１７のフレームに支持するように構成してもよい。
【００６５】
また、上記実施形態では、給紙トレイ２２Ａ、２２Ｂから用紙Ｐを取り出すピックアップロール３４と、給紙トレイ２２Ａ、２２Ｂから取り出された用紙Ｐを送り出すフィードロール３６と、の２つのロールが設けられていたが、一つのロールで、給紙トレイ２２Ａ、２２Ｂから用紙Ｐを取り出してから、用紙Ｐを下流へ送り出す構成であってもよい。
【００６６】
また、上記実施形態では、位置決め手段として、差込孔４６に差し込まれるピン４８を設けたが、本発明に係る位置決め手段としては、これに限られず、例えば、上部フレーム４１と下部フレーム４２の第１端部４０Ａを係止するフックを設けてもよい。また、ピン４８を支持フレーム４０側に設け、差込孔４６を給紙トレイ２２Ａに設ける構成であってもよい。
【００６７】
本発明は、本実施形態に限るものではなく、本発明の要旨を逸脱しない限りにおいて、種々の変形、変更、改良が可能である。
【図面の簡単な説明】
【００６８】
【図１】図１は、本発明の実施形態に係る画像形成装置の全体構成を示す概略図である。
【図２】図２は、本実施形態に係る給紙装置の全体構成を示す概略図である。
【図３】図３は、本実施形態に係る給紙装置において、給紙トレイを引き出した状態を示す斜視図である。
【図４】図４は、本実施形態に係る給紙装置の支持フレームを示す斜視図である。
【図５】図５は、本実施形態に係る給紙装置の支持フレームを給送方向の反対側から見た概略図である。
【図６】図６は、本実施形態に係る給紙装置の支持フレームの変形例を示す概略図であり、（Ａ）は下部フレームを回転させる前の状態を、（Ｂ）は下部フレームを下方に回転させた状態を示す。
【符号の説明】
【００６９】
１０   画像形成装置
１７   装置本体
２２Ａ 給紙トレイ
３６   フィードロール（給紙ロール）
３８   リタードロール（重送防止ロール）
４０   支持フレーム
４１   上部フレーム
４２   下部フレーム
４８   ピン（位置決め手段）
５２   搬送ロール
Ｐ     用紙（シート）
Ｓ     隙間
【図１】
0004665844.tif 000002
【図２】
0004665844.tif 000003
【図３】
0004665844.tif 000004
【図４】
0004665844.tif 000005
【図５】
0004665844.tif 000006
【図６】
0004665844.tif 000007